(57)【要約】【解決手段】本発明は、底部１の土手部１ａに抜き勾配面１ａ１’が形成されているために、折り畳みコンテナーが箱型に組み立てられた際に、底部１とこのような抜き勾配を必要としない側壁２との間に、側壁２の下端水平フランジ２ａと板部２ｂとにより形成される略直角な角部を有する段差部Ｓ１が形成される折り畳みコンテナーにおいて、折り畳みコンテナーが箱型に組み立てられた状態において、側壁２の板部２ｂの内面２ｂ１の下端部から土手部１ａの抜き勾配面１ａ１’の上端部まで達する傾斜面部Ｓ２を形成したものである。【効果】箱型に組み立てられた折り畳みコンテナーに収容された物品が、傾斜面部に案内されながら、段差部に引っ掛かるようなことがなく取り出せるので、従って、物品の取り出し作業を円滑に行なうことができ、物品の取り出し作業の作業性が向上する。【選択図】図１
2014084115.tif 000002
【特許請求の範囲】
【請求項１】
底部の土手部１ａに抜き勾配面が形成されているために、折り畳みコンテナーが箱型に組み立てられた際に、底部とこのような抜き勾配を必要としない側壁との間に、側壁の下端水平フランジと板部とにより形成される略直角な角部を有する段差部が形成される折り畳みコンテナーにおいて、折り畳みコンテナーが箱型に組み立てられた状態において、側壁の板部の内面の下端部から土手部の抜き勾配面の上端部まで達する傾斜面部が形成されていることを構成されていることを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、一例として、図２〜図５を用いて、従来の折り畳みコンテナーについて説明する。
【０００３】
底部１は、相対する長辺側に形成された土手部（以下、長辺側土手部という。）１ａと、相対する短辺側に形成された土手部（以下、短辺側土手部という。）１ｂとを有しており、長辺側土手部１ａの高さは、短辺側土手部１ｂの高さより、低く形成されている。また、長辺側土手部１ａ及び短辺側土手部１ｂには、後述する雌ヒンジ部材Ｈ１が、所定の間隔で適当数、配設されている。
【０００４】
長側壁２の下端水平フランジ２ａの裏面には、底部１の長辺側土手部１ａに配設された雌ヒンジ部材Ｈ１に対応して、後述する雄ヒンジ部材Ｈ２が配設されており、また、短側壁３の下端水平フランジ３ａの裏面にも、底部１の短側壁土手部１ｂに配設された雌ヒンジ部材Ｈ１に対応して、後述する雄ヒンジ部材Ｈ２が配設されている。
【０００５】
長側壁２の下端水平フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端水平フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【０００６】
次に、図３を用いて、底部１の長辺側土手部１ａに配設されている雌ヒンジ部材Ｈ１及び長側壁２に配設されている雄ヒンジ部材Ｈ２について説明するが、底部１の短辺側土手部１ｂに配設されている雌ヒンジ部材Ｈ１及び短側壁３に配設されている雄ヒンジ部材Ｈ２についても、長辺側土手部１ａに配設されている雌ヒンジ部材Ｈ１及び長側壁２に配設されている雄ヒンジ部材Ｈ２と同様の構成を有しているので、以下においては、長辺側土手部１ａに配設されている雌ヒンジ部材Ｈ１及び長側壁２に配設されている雄ヒンジ部材Ｈ２について説明する。
【０００７】
底部１の長辺側土手部１ａは、底部１の底板１ｂの縁部から上方に略垂直に延在する内壁部１ａ１と、内壁部１ａ１の上端から外側に略水平に延在する水平部１ａ２と、水平部１ａ２の縁部から下方に底板１ｃ付近まで延在する外壁部１ａ３とから構成されており、長手方向に対して垂直な断面形状が、略逆Ｕ字状に形成されている。
【０００８】
長辺側土手部１ａには、縦孔ｈ１が形成されており、また、内壁部１ａ１には、上方が開放されているとともに、底板１ｂ方向に延在する切欠き凹部ｈ２が形成されている。また、切欠き凹部ｈ２の両側に位置する内壁部１ａ１の内面（外壁部１ａ３側に位置する面）の上端部には、フックｈ３が突設されている。上記の縦孔ｈ１、切欠き凹部ｈ２及びフックｈ３とにより、雌ヒンジ部材Ｈ１が構成されている。
【０００９】
一方、長側壁２の下端水平フランジ２ａの裏面には、所定の間隔をおいて、一対の板状の支持片ｈ１０が垂設されているとともに、一対の支持片ｈ１０を連結する連結片ｈ１１が形成されている。また、一対の支持片ｈ１０の外側面（一対の支持片ｈ１０の相対する面とは反対側の面）の下部には、外側面に垂直にヒンジブロックｈ１２が突設されている。上記の一対の支持片ｈ１０、連結片ｈ１１及びヒンジブロックｈ１２とにより、雄ヒンジ部材Ｈ２が構成されている。
【００１０】
底部１と長側壁２とをヒンジ連結するには、図３に示されているように、長側壁２を、底部１の底板１ｃと略平行になるように配置し、その後、略水平状態の長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入すると、ヒンジブロックｈ１２が、長辺側土手部１ａの外壁部１ａ３と内壁部１ａ１との間に配置されることになる。このようにして、底部１の長辺側土手部１ａに配設された雌ヒンジ部材Ｈ１と長側壁２に配設された雄ヒンジ部材Ｈ２とがヒンジ連結されることになる。
【００１１】
上述したように、底部１の長辺側土手部１ａに配設された雌ヒンジ部材Ｈ１と長側壁２に配設された雄ヒンジ部材Ｈ２とがヒンジ連結された後、図５に示されているように、長側壁２を、略垂直状態に立設した際には、長辺側土手部１ａに配設された雄ヒンジ部材Ｈ２のヒンジブロックｈ１２が、底部１の長辺側土手部１ａに配設された雌ヒンジ部材Ｈ１のフックｈ３の下面に位置するように構成されている。
【００１２】
上述したような折り畳みコンテナーは、一例として、特許文献１に開示されている。
【先行技術文献】
【特許文献】
【００１３】
【特許文献１】実公平５−１６１０３号公報
【発明の開示】
【発明が解決しようとする課題】
【００１４】
上述した従来の折り畳みコンテナーにおいては、底部１を射出成形した後、底部１を、金型から引き抜く際には、金型から成形された底部１の金型からの引き抜きを容易にするために、底部１の長辺側土手部１ａの内壁部１ａ１には、雌ヒンジ部材Ｈ１を含め、外壁部１ａ３側に傾斜した抜き勾配面１ａ１’が形成されている。
【００１５】
上述したように、底部１の長辺側土手部１ａに抜き勾配面１ａ１’が形成されているために、底部１と、このような抜き勾配を必要としない長側壁２との間には、図５に示されているように、長側壁２の下端水平フランジ２ａと底部１の長辺側土手部１ａの内壁部１ａ１との間に、略直角な角部を有する段差部Ｓ１が形成されることになる。
【００１６】
上述したように、長側壁２の下端水平フランジ２ａと底部１の長辺側土手部１ａの内壁部１ａ１との間に、段差部Ｓ１が形成されると、箱型に組み立てられた折り畳みコンテナーに収容された物品を取り出す際に、物品が、この段差部Ｓ１に引っ掛かり、箱型に組み立てられた折り畳みコンテナーの物品の取り出し作業に支障を来すという問題があった。
【００１７】
上述したような、長側壁２の下端水平フランジ２ａと底部１の長辺側土手部１ａの内壁部１ａ１との間に形成される段差部Ｓ１は、短側壁３の下端水平フランジ３ａと底部１の短辺側土手部１ｂの内壁部との間にも形成されている。
【００１８】
上述したような、段差部Ｓ１を無くすために、底部１の長辺側土手部１ａの内壁部１ａ１及び短辺側土手部１ｂの内壁部を、長側壁２の下端水平フランジ２ａに対して略垂直な板部２ｂの内面２ｂ１及び短側壁３の板部３ｂの内面と一致させるように、長辺側土手部１ａの内壁部１ａ１及び短辺側土手部１ｂの内壁部を、底部１の底板１ｃ方向に移動させると、折り畳みコンテナーの内容量が減少するという問題があり、また、逆に、底部１の長辺側土手部１ａの内壁部１ａ１及び短辺側土手部１ｂの内壁部を、長側壁２の板部２ｂの内面２ｂ１及び短側壁３の板部３ｂの内面３ｂ１と一致させるために、長側壁２及び短側壁３の厚さを薄くすると、長側壁２及び短側壁３の強度や剛性が低下するという問題がある。
【００１９】
本発明の目的は、上述した従来の折り畳みコンテナーが有する課題を解決することにある。
【課題を解決するための手段】
【００２０】
本発明は、上述した目的を達成するために、底部の土手部１ａに抜き勾配面が形成されているために、折り畳みコンテナーが箱型に組み立てられた際に、底部とこのような抜き勾配を必要としない側壁との間に、側壁の下端水平フランジと板部とにより形成される略直角な角部を有する段差部が形成される折り畳みコンテナーにおいて、折り畳みコンテナーが箱型に組み立てられた状態において、側壁の板部の内面の下端部から土手部の抜き勾配面の上端部まで達する傾斜面部を形成したものである。
【発明の効果】
【００２１】
本発明は、上述した構成を有するので、以下に記載する効果を奏することができるものである。
【００２２】
底部の長辺側土手部に抜き勾配面が形成されているために、折り畳みコンテナーが箱型に組み立てられた際に、底部とこのような抜き勾配を必要としない長側壁との間に、長側壁の下端水平フランジと板部とにより形成される略直角な角部を有する段差部が形成される折り畳みコンテナーにおいて、折り畳みコンテナーが箱型に組み立てられた状態において、長側壁の板部の内面の下端部から長辺側土手部の抜き勾配面の上端部まで達する傾斜面部を形成したので、箱型に組み立てられた折り畳みコンテナーに収容された物品が、傾斜面部に案内されながら、段差部に引っ掛かるようなことがなく取り出せるので、従って、物品の取り出し作業を円滑に行なうことができ、物品の取り出し作業の作業性が向上する。
【００２３】
また、上述したような、傾斜面部を形成したことにより、折り畳みコンテナーの内容量が減少するという問題や、長側壁及び短側壁の強度や剛性が低下するという問題を解決することができる。
【図面の簡単な説明】
【００２４】
【図１】図１は、本発明の折り畳みコンテナーの部分拡大垂直断面図である。
【図２】図２は、本発明と同様の従来の折り畳みコンテナーの全体斜視図である。
【図３】図３は、本発明と同様の従来の折り畳みコンテナーの長側壁が折り畳まれた状態の部分拡大垂直断面図である。
【図４】図４は、本発明の折り畳みコンテナーの長側壁と底部とのヒンジ連結を説明するための部分分解斜視図である。
【図５】図５は、従来の折り畳みコンテナーの図１と同様の部分拡大垂直断面図である。
【実施例】
【００２５】
以下に、本発明の実施例について説明するが、本発明の趣旨を越えない限り、何ら、本実施例に限定されるものではない。
【００２６】
本発明と上述した従来の折り畳みコンテナーとの共通な構成部材については、その詳細な説明は、適宜、省略するとともに、共通な構成部材については、同じ図面符号を使用する。また、底部１の長辺側土手部１ａに配設された雌ヒンジ部材Ｈ１と長側壁２に配設された雄ヒンジ部材Ｈ２とのヒンジ連結状態と、底部１の短辺側土手部１ｂに配設された雌ヒンジ部材Ｈ１と短側壁３に配設された雄ヒンジ部材Ｈ２とのヒンジ連結状態は実質的に同じであるので、以下においては、長側壁２と底部１の長辺側土手部１ａとの関係について説明する。
【００２７】
従来の折り畳みコンテナーの図５と同様の図１に基づいて、本発明について説明する。
【００２８】
上述したように、底部１を射出成形した後、底部１を、金型から引き抜く際に、金型から成形された底部１の金型からの引き抜きを容易にするために、底部１の長辺側土手部１ａの内壁部１ａ１には、雌ヒンジ部材Ｈ１を含め、外壁部１ａ３側に傾斜した抜き勾配面１ａ１’が形成されている。
【００２９】
底部１の長辺側土手部１ａに抜き勾配面１ａ１’が形成されているために、折り畳みコンテナーが箱型に組み立てられた際には、底部１と、このような抜き勾配を必要としない長側壁２との間に、換言すれば、長側壁２の下端水平フランジ２ａと底部１の長辺側土手部１ａの内壁部１ａ１との間に、長側壁２の板部２ｂと下端水平フランジ２ａとにより形成される略直角な角部を有する段差部Ｓ１が形成されることになる。
【００３０】
本発明においては、長側壁２の下端水平フランジ２ａと底部１の長辺側土手部１ａの内壁部１ａ１との間に形成された段差部Ｓ１を形成する、長側壁２の板部２ｂと下端水平フランジ２ａにより形成される略直角な角部を無くすために、長側壁２の板部２ｂと下端水平フランジ２ａにより形成される略直角な角部に、折り畳みコンテナーが箱型に組み立てられた状態において、長側壁２の板部２ｂの内面２ｂ１の下端部から長辺側土手部１ａの抜き勾配面１ａ１’の上端部まで達する傾斜面部Ｓ２を形成したものである。
【００３１】
上述したような、傾斜面部Ｓ２は、図１に示されているように、平坦な面として形成することも、箱型に組み立てられた折り畳みコンテナーの内部側に湾曲した面として形成することもできる。なお、傾斜面部Ｓ２を、湾曲した面することにより、平坦な面とした場合に較べて、長側壁２の板部２ｂと下端水平フランジ２ａとにより形成される角部の肉厚の減少を抑制することができ、従って、長側壁２のこの部分の角部の強度や剛性を維持することができる。
【００３２】
底部１の長辺側土手部１ａに抜き勾配面１ａ１’が形成されているために、折り畳みコンテナーが箱型に組み立てられた際に、底部１とこのような抜き勾配を必要としない長側壁２との間に、長側壁２の下端水平フランジ２ａと板部２ｂとにより形成される略直角な角部を有する段差部Ｓ１が形成される折り畳みコンテナーにおいて、折り畳みコンテナーが箱型に組み立てられた状態において、長側壁２の板部２ｂの内面２ｂ１の下端部から長辺側土手部１ａの抜き勾配面１ａ１’の上端部まで達する傾斜面部Ｓ２を形成したものである。
【００３３】
上述したように構成することにより、箱型に組み立てられた折り畳みコンテナーに収容された物品が、傾斜面部Ｓ２に案内されながら、段差部Ｓ１に引っ掛かるようなことがなく取り出せるので、従って、物品の取り出し作業を円滑に行なうことができ、物品の取り出し作業の作業性が向上する。
【００３４】
また、上述したような、傾斜面部Ｓ２を形成したことにより、折り畳みコンテナーの内容量が減少するという問題や、長側壁２及び短側壁３の強度や剛性が低下するという問題を解決することができる。
【００３５】
更に、傾斜面部Ｓ２を、湾曲した面することにより、平坦な面とした場合に較べて、長側壁２の板部２ｂと下端水平フランジ２ａとにより形成される角部の肉厚の減少を抑制することができ、従って、長側壁２のこの部分の角部の強度や剛性を維持することができる。
【符号の説明】
【００３６】
Ｈ１・・・・・・・・・・・雌ヒンジ部材
Ｈ２・・・・・・・・・・・雄ヒンジ部材
Ｓ１・・・・・・・・・・・段差部
Ｓ２・・・・・・・・・・・傾斜面部
１・・・・・・・・・・・・底部
１ａ・・・・・・・・・・・長辺側土手部
１ｂ・・・・・・・・・・・短辺側土手部
２・・・・・・・・・・・・長側壁
３・・・・・・・・・・・・短側壁
【図１】
2014084115.tif 000003
【図２】
2014084115.tif 000004
【図３】
2014084115.tif 000005
【図４】
2014084115.tif 000006
【図５】
2014084115.tif 000007